(57)【要約】【課題】  精度の高いデータ読み取りが可能な生化学解析用カートリッジを安価に提供する。【解決手段】  カートリッジ２８は、リアクタ２２に着脱自在に装填される。生化学解析用ユニット１０の中央には、複数のスポット領域１４からなるフロースルーエリア１７が設けられており、上半部５１には、このフロースルーエリア１７の全面を外部に露呈する開口６１が形成されている。この開口６１は、反応時には、上蓋２２ｂによって覆われる。検出時には、上蓋２２ｂが取り外されて、開口６１からフロースルーエリア１７が露呈される。この開口６１から、検出装置のライトガイド３３が挿入されて、各スポット領域１４の状態が検出される。ライトガイド３３の端面をスポット領域１４に隙間なく対面させることができるので、精度の高いデータ読み取りを行うことができる。【選択図】        図６
2005172706.tif 000002
【特許請求の範囲】
【請求項１】
基板上に試薬となるプローブが固定化され、検体となるターゲットを含む反応溶液が浸透するスポット領域が複数個配列された生化学解析用ユニットを収容する生化学解析用カートリッジにおいて、
前記生化学解析用ユニットを収容した状態で、前記各スポット領域が配列された配列面を外部に露呈する開口部を設けたことを特徴とする生化学解析用カートリッジ。
【請求項２】
前記開口部が前記反応溶液を供給するリアクタの蓋によって覆われたときに、前記配列面と前記蓋との間に前記反応溶液が流動する空間が確保されることを特徴とする請求項１記載の生化学解析用カートリッジ。
【請求項３】
前記生化学解析用ユニットは、前記各スポット領域に浸透した前記反応溶液が該ユニットの一方の面から他方の面に向けて通過可能なフロースルータイプであり、前記一方の面とカートリッジ本体との間には、前記リアクタから供給される反応溶液が流入するハウジングが設けられていることを特徴とする請求項２記載の生化学解析用カートリッジ。
【発明の詳細な説明】
【技術分野】
【０００１】
本発明は、ＤＮＡの塩基配列などの解析に用いられる生化学解析用ユニットを収容する生化学解析用カートリッジに関する。
【背景技術】
【０００２】
生体由来物質、例えばＤＮＡの塩基配列の解析などの生化学解析を行うために、生化学解析用ユニットが使用される。生化学解析用ユニットは、基板に微細な貫通孔を複数形成し、これら各貫通孔内に多孔質材料等の吸着性物質を押し込むことで、複数の吸着性領域（以下、スポット領域と称する）を形成したものであり、基板上に複数の微細なスポット領域が配列されていることからマイクロアレイなどと呼ばれる。この生化学解析用ユニットを使用した生化学解析方法は、生化学解析用ユニットの複数のスポット領域に、試薬となる特異的結合物質（以下、プローブと称する）を点着して固定化するスポッティング工程と、スポット領域に検体となる特異的結合物質（以下、ターゲットと称する）を浸透させて特異的結合（プローブとターゲットとの結合）を生じさせる反応工程と、生化学解析用ユニットから、各スポット領域の特異的結合反応の結果を示す生化学解析用データを読み取るデータ読み取り工程と、読み取られた解析用データをパーソナルコンピュータなどで解析するデータ解析工程とを含む（例えば、下記特許文献１及び特許文献２参照）。
【０００３】
プローブは、ターゲットの発現情報を調べるための試薬となるものであるから、分子構造、例えば、塩基配列や組成などが既知のものが使用される。プローブとしては、例えば、生体由来物質であるホルモン類，腫瘍マーカー，酵素，抗体，抗原，アブザイム，レセプタ，その他のタンパク質，リガンド，核酸，ｃＤＮＡ，ＤＮＡ，ＲＮＡなどであり、ターゲットと特異的結合が可能な物質である。ターゲットは、分子構造が未知のものであり、生体由来物質であるホルモン類，腫瘍マーカー，酵素，抗体，抗原，アブザイム，レセプタ，その他のタンパク質，リガンド，核酸，ｃＤＮＡ，ＤＮＡ，ｍＲＮＡなどを生体から抽出，単離して採取されたものや、この採取後に化学的処理が施されたものである。
【０００４】
塩基配列を調べる場合には、スポッティング工程において、生化学解析用ユニットの各スポット領域に、異なる種類のプローブが固定化される。そして、反応工程において、ターゲットを溶媒に溶かした溶液（以下、ターゲット溶液と称する）を各スポット領域に浸透させることで、ターゲットと、このターゲットと相補的な関係にあるプローブとを特異的結合させる。
【０００５】
特異的結合が生じたことを標識させる標識方法としては、例えば、化学発光反応による発光を利用する化学発光方式が使用される。化学発光方式においては、ターゲット反応処理、抗原抗体反応処理、化学発光反応処理の各反応処理が順に実行される。ターゲット反応処理は、ターゲットに抗原を結合させたターゲット溶液を各スポット領域に浸透させて、ターゲットとプローブとを特異的結合させる処理である。このターゲット反応処理の後、生化学解析用ユニットは洗浄されて、特異的結合が生じたスポット領域以外の部分に付着したターゲットが取り除かれる。これにより、特異的結合が生じたスポット領域にのみ、ターゲットと抗原が残留する。
【０００６】
このターゲットの洗浄後、抗原抗体反応処理が行われる。抗原抗体反応処理では、酵素（化学発光基質に作用してこれを分解して発光させる）と抗体の重合体（以下、酵素抗体という）を溶媒に溶かした酵素抗体溶液を、スポット領域に浸透させて、前記酵素抗体溶液と前記抗原とを反応させることにより、前記酵素抗体と抗原とを結合させる。この抗原抗体反応処理の後、再び生化学解析用ユニットが洗浄されて、抗原と酵素抗体とが結合しなかったスポット領域から、酵素抗体を取り除く。
【０００７】
この酵素抗体の洗浄後、前記化学発光基質を含んだ化学発光基質溶液を、各スポット領域に浸透させることにより、化学発光反応を生じさせる。抗原と酵素抗体とが結合したスポット領域は、酵素の作用によって化学発光基質が分解されて発光する。この光を読み取ることで特異的結合の有無を検出する。検出手段としては、例えば、光学情報を読み取るＣＣＤイメージセンサなどの撮像デバイスが使用される。
【０００８】
これら各反応溶液を各スポット領域に浸透させる方式としては、生化学解析用ユニットを収納した反応室（以下、チャンバーという）内に各反応溶液を注入し、注入した反応溶液をピストンやポンプなどの機械的な動力を用いて流動させることにより、スポット領域の一方の側から他方の側へ通過させるフロースルー方式が一般的になってきている（例えば、特許文献２参照）。
【０００９】
また、最近では、生化学解析用ユニットの取り扱いの簡便性を考慮して、このフロースルー方式の生化学解析用ユニットを収容するカートリッジが開発されている。このカートリッジを使用すれば、生化学解析用ユニットをリアクタへ装填したりそこから取り外す際に該ユニットを裸のまま取り扱わなくて済む。このようなカートリッジに対応したリアクタには、カートリッジが装填されるリアクタ本体と、前記ピストンや循環パイプなど反応溶液を循環させる循環機構とが設けられている。前記装填部は、循環機構と接続されており、カートリッジを装填部に装填するだけで、循環機構と前記チャンバーとが接続されるようになっている。
【００１０】
さらに、下記特許文献２に記載されているカートリッジでは、その本体上面に検出窓が設けられており、本体内に収容された生化学解析用ユニットの各スポット領域の状態を外部から透視できるようにしている。この検出窓は、例えば、透明なプラスチックで形成された透明板で構成される。こうすれば、生化学解析用ユニットをカートリッジから取り出すことなく、各スポット領域の状態を撮影することができる。
【００１１】
検出装置には、例えば、ＣＣＤイメージセンサの受光面に各スポット領域からの光を投影するレンズが設けられている。このレンズの倍率は、全スポット領域がＣＣＤイメージセンサの受光面のサイズに合うように縮小、あるいは、拡大されて投影されるように選ばれる。このように、カートリッジに検出窓を設ければ、反応工程からデータ読み取り工程へ至るまで、生化学解析用ユニットをカートリッジに入れた状態で作業を進めることができるので、生化学解析作業がより簡便になる。
【００１２】
しかし、この検出装置では、レンズで投影するために、レンズ内部、ＣＣＤイメージセンサのパッケージガラス、受光面近傍などで光の拡散が起こり、あるスポット領域から発光した光が隣接するスポット領域に相当する位置にも入射してしまうため、各スポット毎の光量を正確に検出することができなかった。
【００１３】
こうした不具合を解消するため、検出装置には、ＣＣＤイメージセンサの受光面に各スポット領域からの光を導光するライトガイドを設けたものもある。このライトガイドは、例えば、各スポット領域の数に応じた数の光ファイバーを束ねたものである。撮影は、各光ファイバーが各スポット領域に対応するように、それらの一端を前記検出窓に載置して行われる。これによれば、各スポット領域には、それぞれ１本の光ファイバーが割り当てられるので、レンズで投影する場合と比較して、隣接領域からの光の入射を軽減することが可能になる。
【００１４】
【特許文献１】特開２００３−２２７８２５号公報
【特許文献２】ＷＯ０１／４５８４３号公報
【発明の開示】
【発明が解決しようとする課題】
【００１５】
しかしながら、従来のカートリッジでは、検出窓を構成する透明板と生化学解析用ユニットの間に隙間があるため、光ファイバーを使用しても光の拡散を十分に抑えることができないため、隣接領域からの光の進入を防止することができず、精度の高い解析用データを得ることはできなかった。というのは、上述したとおり、フロースルー方式の場合には、生化学解析用ユニットの上方及び下方に反応溶液を流動させるための空間を確保しなければならないので、生化学解析用ユニットと前記透明板との間には、隙間が必要になる。この隙間があると、光の拡散により、あるスポット領域から発光した光が、それに対応する光ファイバーだけでなく、隣接する光ファイバーへも入射してしまうため、各スポット毎の光量を正確に検出することができなかった。
【００１６】
また、検出窓を透明板で構成すると、部品点数や加工の手間が増えてカートリッジの製造コストが増加する懸念もある。生化学解析用ユニットをカートリッジに収容した形態でユーザーに提供する場合には、１つの生化学解析用ユニットに対して１つのカートリッジを用意しなければならないため、製造コスト削減の要求は特にシビアになる。
【００１７】
本発明は、精度の高いデータ読み取りが可能な生化学解析用カートリッジを安価に提供することを目的とする。
【課題を解決するための手段】
【００１８】
前記目的を達成するために、本発明の生化学解析用カートリッジは、基板上に試薬となるプローブが固定化され、検体となるターゲットを含む反応溶液が浸透するスポット領域が複数個配列された生化学解析用ユニットを収容する生化学解析用カートリッジにおいて、前記生化学解析用ユニットを収容した状態で、前記各スポット領域が配列された配列面を外部に露呈する開口部を設けたことを特徴とする。
【００１９】
なお、前記開口部が前記反応溶液を供給するリアクタの蓋によって覆われたときに、前記配列面と前記蓋との間に前記反応溶液が流動する空間が確保されることが好ましい。
【００２０】
なお、前記生化学解析用ユニットは、前記各スポット領域に浸透した前記反応溶液が該ユニットの一方の面から他方の面に向けて通過可能なフロースルータイプであり、前記一方の面とカートリッジ本体との間には、前記リアクタから供給される反応溶液が流入するハウジングが設けられていることが好ましい。
【発明の効果】
【００２１】
本発明は、複数のスポット領域が配列された配列面を持つ生化学解析用ユニットを収容する生化学解析用カートリッジに、前記配列面の全面を外部に露呈する開口を設けたから、この開口から検出装置の光ファイバーを挿入して、その端面を配列面と隙間なく対面させることができるので、精度の高いデータを得ることができる。また、開口を検出窓として使用するので、従来と比較して、カートリッジの構成を簡素化することができる。このため、カートリッジを安価に提供することができる。
【発明を実施するための最良の形態】
【００２２】
図１に示すように、生化学解析用ユニット１０を使用した生化学解析方法は、スポッティング工程と、反応工程と、データ読み取り工程と、データ解析工程とを含む。生化学解析用ユニット１０は、基板１１に、微細な貫通孔１２をマトリックス状に複数形成し、各貫通孔１２に吸着性物質であるメンブレン１３を圧入して複数のスポット領域１４を形成したものであり、フロースルータイプのものである。
【００２３】
図２は、生化学解析用ユニット１０の説明図である。生化学解析用ユニット１０は、データ読み取り工程において、後述するＣＣＤイメージセンサを含む検出装置によって光電的に読み取られる。したがって、基板１１の材質としては、光の散乱を防止するために、光を減衰させる材質が好ましく、金属、セラミック、プラスチックなどが使用される。光の散乱を防止する趣旨は、あるスポット領域１４で発せられた光が、基板壁を透過して、隣接するスポット領域に到達することにより、発光していないスポット領域から光があたかも光が発せられているかのように見えてしまうという誤認識を防止することにある。光を減衰させる効率が高い材質を使用することで、誤認識が防止され、信頼性の高い解析用データが得られる。光の減衰率（スポット領域から発せられる光強度の低下率）は、あるスポット領域から発せられる光強度が、隣接するスポット領域においては、１／１０以下になることが好ましく、１／１００以下になることがより好ましい。
【００２４】
基板１１の厚みは、５０〜１０００μｍの範囲であることが好ましく、より好ましくは１００〜５００μｍの範囲である。金属としては、銅、銀、金、亜鉛、鉛、アルミニウム、チタン、錫、クロム、鉄、ニッケル、コバルト、タンタルなどを用いることができる。または、ステンレス鋼や黄銅などの合金も用いることができるが、必ずしもこれらに限定されない。また、セラミックとしては、アルミナ、ジルコニア等があげられるが、必ずしもこれらに限定されない。
【００２５】
前記プラスチックとしては、ポリオレフィン類（例えば、ポリエチレンやポリプロピレンなど）、ポリスチレン、アクリル樹脂（例えば、ポリメチルメタクリレートなど）、含塩素ポリマー類（例えば、ポリ塩化ビニル、ポリ塩化ビニリデンなど）、含フッ素ポリマー（例えば、ポリフッ化ビニリデン、ポリテトラフルオロエチレンなど）、含塩素フッ素ポリマー（例えば、ポリクロロトリフルオロエチレンなど）、ポリカーボネート、ポリエステル（例えば、ポリエチレンナフタレートやポリエチレンテレフタレートなど）、ポリアミド（例えば、ナイロン−６やナイロン−６６など）、ポリイミド、ポリスルフォン、ポリフェニレンサルファイド、ケイ素樹脂（例えば、ポリジフェニルシロキサンなど）、フェノール樹脂（例えば、ノボラックなど）、エポキシ樹脂、ポリウレタン、セルロース類（例えば、酢酸セルロースやニトロセルロースなど）などが挙げられる。または、コポリマー（例えば、ブタジエン−スチレン共重合体など）、さらには前記プラスチックをブレンドしたものも挙げられるが、必ずしもこれらに限定されない。
【００２６】
プラスチックを基板材料に用いると貫通孔の形成が容易となり好ましいが、光の減衰が生じ難い場合もある。そこで、光をより一層減衰させるために、プラスチックに、カーボン，金属酸化物粒子やガラス繊維などの粒子を充填して、これらをプラスチック内部に分散させることが好ましい。金属酸化物粒子としては、二酸化ケイ素、アルミナ、二酸化チタン、酸化鉄、酸化銅などがあげられるが、必ずしもこれらに限定されない。
【００２７】
貫通孔１２の形成方法は、パンチング法、放電パルス法、食刻技術法（フォトリソグラフィー法），電解エッチング法，エキシマレーザー及びＹＡＧレーザーなどのレーザーを基板に照射する方法などがあるがこれらに限定されるものではない。これら各形成方法は、基板の材料等に応じて適宜選択される。
【００２８】
貫通孔１２の密度を高めるために、貫通孔の開口部の面積は、５ｍｍ2 未満であることが好ましく、より好ましくは１ｍｍ2 未満であり、０．３ｍｍ2 未満がより好ましく、０．０１ｍｍ2 未満がさらに好ましい。そして、最も好ましくは０．０００１ｍｍ2 以上である。また、貫通孔の孔形状を略円形とした場合には、その直径が、３０μｍ〜３００μｍであることが好ましい。
【００２９】
貫通孔１２の配列ピッチ（隣接する二つの孔の中心から中心までの距離）Ｐは、５０μｍ〜３０００μｍの範囲が好ましく、隣接する２つの貫通孔１２の端部から端部までの距離Ｌは、１０μｍ〜１５００μｍの範囲とすることが好ましい。また、貫通孔１２の密度は、１０個／ｃｍ2 以上が好ましく、１００個／ｃｍ2 以上がより好ましく、さらに好ましくは５００個／ｃｍ2 以上、さらに最も好ましくは１０００個／ｃｍ2 以上５００００個／ｃｍ2 以下の範囲である。
【００３０】
貫通孔１２が形成された基板１１には、洗浄効果を高めるために、表面処理が施される。基板１１の材料に金属，合金（例えば、ステンレス鋼など）を用いた際には、コロナ放電，プラズマ放電または陽極酸化法などの少なくともいずれかの方法により表面処理が施される。この表面処理によって基板１１には、親水性が高い表面処理層が形成される。
【００３１】
表面処理が施された後、基板１１のメンブレン１３が圧入される面に接着剤が塗布される。なお、接着剤を塗工する方法は、特に限定されるものではないが、ロール塗布，ワイヤーバー塗布，ディップ塗布，ブレード塗布，エアナイフ塗布などにより行なうことができる。接着剤には、スチレンブタジエンゴム，アクリロニトリルブタジエンゴムが好ましく用いられるが、これらに限定されるものではない。なお、余剰の接着剤は、ブレードにより掻き落としたり、レーザー光の照射により熱分解させて除去する方法などにより行なうことが後の工程で不純物の発生を防止するために好ましい。なお、本発明において、基板の表面処理、接着剤の塗工の工程は省略することもできる。
【００３２】
接着剤が塗布された後、貫通孔１２にメンブレン１３が圧入される。メンブレン１３には、多孔質材料あるいは繊維材料が好ましく使用される。また、多孔質材料と繊維材料とを併用して用いることもできる。本発明において用いられるメンブレン１３は、多孔質材料（有機，無機，有機／無機）、繊維材料（有機，無機）のいずれでもよく、それらを混合して用いても良い。メンブレン１３の厚さは特に限定されないが、５０μｍ〜２００μｍ（０．０５ｍｍ〜０．２０ｍｍ）の範囲のものを用いることが好ましい。また、体積空隙率Ｃが、１０％〜９０％の範囲のものを用いることが好ましく、空隙を構成する微細孔の平均孔径は０．１μｍ〜５０μｍの範囲にあるものを用いることが好ましい。体積空隙率Ｃは、吸着性材料の見掛け体積に対する無数の孔の体積和の百分率で示される。
【００３３】
有機多孔質材料は、特に限定されるものではないが、ポリマーを用いることが好ましい。ポリマーとしては、セルロース誘導体（例えば、ニトロセルロース、再生セルロース、セルロースアセテート、酢酸セルロース、酪酸酢酸セルロースなど）、脂肪族ポリアミド類（例えば、ナイロン６、ナイロン６，６、ナイロン４，１０など）、ポリオレフィン類（例えば、ポリエチレン、ポリプロピレンなど）、含塩素ポリマー類（例えば、ポリ塩化ビニル、ポリ塩化ビニリデンなど）、フッ素樹脂類（例えば、ポリフッ化ビニリデン、ポリテトラフルオライドなど）、ポリカーボネート、ポリスルフォン、アルギン酸及びその誘導体（例えば、アルギン酸、アルギン酸カルシウム、アルギン酸／ポリリシンポリイオンコンプレックスなど）、コラーゲンなどがあげられ、これらポリマーの共重合体や複合体（混合体）も用いることができる。なお、本発明においては、多孔質としたナイロンを用いることが吸水性の点から好ましい。
【００３４】
無機多孔質材料も、特に限定されるものではないが、好ましくは、金属（例えば、白金、金、鉄、銀、ニッケル、アルミニウムなど）、金属等の酸化物（例えば、アルミナ、シリカ、チタニア、ゼオライトなど）、金属塩（例えば、ヒドロキシアパタイト、硫酸カルシウムなど）及びこれらの複合体などが挙げられる。また、活性炭などの炭素多孔質材料も好ましく用いられる。
【００３５】
また、有機繊維材料，無機繊維材料も特に限定されるものではない。例えば、前記セルロース誘導体類、脂肪族ポリアミド類などの有機繊維材料や、ガラス繊維、金属繊維などの無機繊維材料を用いることができる。また、メンブレン１３の強度を高めるため、多孔質材料を溶解する溶媒に不溶な繊維材料を混合させても良い。
【００３６】
メンブレン１３の圧入は、基板１１とメンブレン１３とを重ね合わせた状態で上下からプレス板により間欠的にプレスすることによって行われる。なお、メンブレン１３に有機多孔質材料及び／または有機繊維材料を用いているときには、プレス板を加熱して、これを基板１１に浸透させることで基板１１の温度を上げる。これにより、メンブレン１３が軟化して押込みが容易となる。また、プレス板の代わりにローラを用いてもよい。こうして、貫通孔１２にメンブレン１３が押し込まれることによりスポット領域１４が形成される。
【００３７】
複数のスポット領域１４が配列されたフロースルーエリア１７は略矩形をしており、各スポット領域１４は、所定の数毎に、輪郭が略矩形のブロック単位で規則的に区画されている。基板１１のサイズは、例えば、縦が７０ｍｍで、横が９０ｍｍである。各ブロック１８のサイズは、例えば、約４ｍｍ四方である。これらのブロック１８は、マトリックス状に配列されており、その数は、例えば、縦が１０個で横が１２個である。これらブロックのサイズ及び数，各スポット領域１４のサイズ及び配列ピッチなどのフロースルーエリアの仕様は、後述する検出装置３１の仕様と対応するように決定される。符号１９は、生化学解析用ユニット１０を、後述する生化学解析用カートリッジ２８に取り付ける際の位置決め穴である。なお、本例では、各スポット領域１４をブロック単位で区画しているが、こうした区画はしなくてもよく、例えば、フロースルーエリア１７全域に渡って、各スポット領域１４を同じピッチで配列してもよい。
【００３８】
スポッティング工程では、スポッターを用いて、生化学解析用ユニット１０の各スポット領域１４に、異なる種類のプローブを含む溶液（以下、プローブ溶液という）が各々点着される。スポッターは、先端に割り溝が形成され、プローブ溶液を点着するスポットピン２０を備えている。このスポットピン２０により、ウエルプレート上に分注された複数種類のプローブ溶液を吸い上げ、吸い上げられたプローブ溶液を各スポット領域１４に点着する。この後、各スポット領域１４に紫外線などを照射することによりプローブがスポット領域１４に固定される。こうして、プローブが固定された生化学解析用ユニット１０は、チャンバー２９付き生化学解析用カートリッジ（以下、単にカートリッジという）２８に収容され、その形態で反応工程に送られる。
【００３９】
反応工程では、リアクタ２１を用いて、プローブと、検体となるターゲットとを反応させる。本例では、標識方法として上述の化学発光方式を採用しており、反応工程は、ターゲット反応処理，洗浄，抗原抗体反応処理，洗浄，化学発光反応処理の５つの処理ステップからなり、これらの処理ステップはこの順番で順に実行される。
【００４０】
リアクタ２１は、リアクタ本体２２，循環パイプ２３，ポンプ２４，切り換え弁２５，液貯蔵部２６，排出槽２７などからなる。カートリッジ２８は、リアクタ本体２２に着脱自在にセットされる。リアクタ本体２２は、チャンバー２９内の温度を所定の温度に保持するための保温ケースを兼ねている。実験に使用されるターゲット溶液は、反応溶液調製装置によって、抗原と結合したターゲットを溶媒に溶かし込むことにより作成される。
【００４１】
循環パイプ２３は、ポンプ２４及び切り換え弁２５とともに循環機構を構成する。生化学解析用カートリッジ２８には、チャンバー２９へ反応溶液を供給する供給路２８ａ及びそこから反応溶液を排出する排出路２８ｂが設けられており、これら供給路２８ａ及び排出路２８ｂに前記循環パイプ２３が接続される。これにより、チャンバー２９内を流動する反応溶液の循環経路が構成される。また、循環パイプ２３には、切り換え弁２５を介して、未使用の反応溶液や洗浄液を貯蔵する液貯蔵部２６と、使用済みの反応溶液や洗浄液を排出する排出槽２７とが接続されている。
【００４２】
切り換え弁２５は、循環パイプ２３と、液貯蔵部２６及び排出槽２７とを接続して、溶液等の供給及び排出を行う供給排出位置と、循環パイプ２３と、液貯蔵部２６及び排出槽２７とを遮断して、循環路を閉路する循環位置との間で回動自在に設けられている。切替弁２５は、２つの通路を備えており、切り換え弁２５が供給排出位置にあるときには、液貯蔵部２６と排出槽２７とが、切り換え弁２５内の別々の通路を介して、循環パイプ２３に接続される。このため、液液貯蔵部２６から循環パイプ２３に液の供給が行われると、それ以前に循環パイプ２３内を満たしていた液体がチャンバー２９及び排出路２８ｂを通って排出槽２７に押し出される。こうして循環経路内の液の入れ替えが行われる。
【００４３】
液貯蔵部２６は、ターゲット溶液を収容するタンクＴ１，前記ターゲット溶液を洗浄する洗浄液を収容するタンクＴ２，酵素抗体溶液を収容するタンクＴ３，酵素抗体溶液を洗浄する洗浄液を収容するタンクＴ４，化学発光基質溶液を収容するタンクＴ５を備えており、各タンクＴ１〜Ｔ５は、供給管を介して切り換え弁２５に接続される。各タンクＴ１〜Ｔ５は、供給管の分岐部から放射状に延びた枝管にそれぞれ接続されており、各タンクＴ１〜Ｔ５と供給管との間にはそれぞれバルブＶ１〜Ｖ５が設けられている。各タンクＴ１〜Ｔ５内の溶液や洗浄液は、上述した反応工程の各処理ステップに応じて、各バルブＶ１〜Ｖ５の開閉により供給管へ選択的に供給される。
【００４４】
チャンバー２９に注入された液体は、図中、下面側から各スポット領域１４に浸透して各スポット領域１４を透過して、図中上面側へ流動する。ターゲット反応処理においては、タンクＴ１からターゲット溶液がチャンバー２９へ注入されて、スポット領域１４に浸透する。この浸透時に、ターゲットと相補的なプローブを有するスポット領域では、ターゲットとプローブとが特異的結合反応を生じる。各スポット領域１４を透過したターゲット溶液は、排出路２８ｂを通ってチャンバー２９外へ排出される。チャンバー２９から排出された反応溶液は、循環パイプ２３及びポンプ２４を介して、再びチャンバー２９に注入される。
【００４５】
このターゲット反応処理の後、タンクＴ２から洗浄液がチャンバー２９へ供給されて、この洗浄液を流動させることにより、生化学解析用ユニット１０が洗浄される。この洗浄により、特異的結合反応を生じたスポット領域以外の部分からターゲットが取り除かれる。
【００４６】
次に、タンクＴ３から酵素抗体溶液がチャンバー２９へ供給して、酵素抗体溶液を各スポット領域に浸透させることにより、抗原抗体反応処理が行われる。ターゲットとプローブとが特異的結合を生じたスポット領域においては、抗原抗体反応が生じ、ターゲットに結合された抗原に、前記酵素抗体が結合する。この抗原抗体反応処理の後、タンクＴ４から洗浄液が供給されて再び生化学解析用ユニット１０が洗浄される。この洗浄により抗原抗体反応を生じたスポット領域以外の部分から前記酵素抗体が取り除かれる。
【００４７】
なお、この洗浄効果をさらに向上させるためには、抗原抗体反応処理を実行する前に、生化学解析用ユニット１０にいわゆるブロッキング剤を浸透させておくことが好ましい。こうすれば、抗原と結合しない酵素抗体がより剥離しやすくなり洗浄効果がより向上する。このブロッキング剤と生化学解析用ユニット１０との浸透についても、洗浄液と同様に、リアクタ２１を用いて行うとよい。
【００４８】
酵素抗体溶液の洗浄が終了した後、チャンバー２９には、化学発光基質を溶媒に溶かした化学発光基質溶液が供給され、この化学発光基質溶液を各スポット領域に浸透させることにより、化学発光反応処理が実行される。抗原抗体反応が生じたスポット領域においては、酵素抗体が残留しているので、酵素の作用によって化学発光基質が分解されて発光する。
【００４９】
この反応工程の後、リアクタ本体２２にカートリッジ２８を装填した状態でデータ読み取りが行われる。カートリッジ２８には、後述する検出窓が設けられており、この検出窓を通してカートリッジ２８内の生化学解析用ユニット１０から生化学解析用データが光電的に読み取られる。
【００５０】
図３に示すように、検出装置３１は、スポット領域１４から発光される光を受光してこれを光電変換するＣＣＤイメージセンサ３４ａを備えた撮像ユニット３２と、これに取り付けられるライトガイド３３からなる。撮像ユニット３２は、ＣＣＤイメージセンサ３４ａをパッケージングしたＣＣＤパッケージ３４と、これを冷却する冷却ユニット３６とからなる。生化学解析用ユニット１０のデータ読み取りに際しては微弱な光を検出しなければならないため、ＣＣＤイメージセンサ３４ａは、冷却ユニット３６によって０℃以下に冷却される。
【００５１】
冷却ユニット３６は、ペルチェ素子（Peltier device）３７が組み込まれたケース本体３８に、ヒートシンク３９を取り付けたものである。ペルチェ素子３７は、周知のように、薄い金属に２種類の半導体を接合しこれに電流を流すと一方の半導体から他方へ熱が移動するという「ペルチェ効果」を利用した素子であり、可動部が無く、騒音を発生しないことからコンピュータのＣＰＵなどの冷却に用いられている。ＣＣＤパッケージ３４は、ケース本体３８に収容されており、ペルチェ素子３７の吸熱面と接合された伝熱板４０に取り付けられている。ケース本体３８には、結露を防止するために乾燥窒素が封入されている。ペルチェ素子３７は、その放熱面がケース本体３８に接触するように取り付けられており、吸収した熱はケース本体３８及びヒートシンク３９によって放熱される。
【００５２】
ＣＣＤイメージセンサ３４ａの受光面には、スポット領域１４から発光される光をＣＣＤイメージセンサ３４ａの受光素子へ導くライトガイド３３が設けられる。ライトガイド３３は、各スポット領域１４の数に対応した複数本の光ファイバー３３ａから構成され、各スポット領域１４の状態を検出ヘッドとして機能する。なお、図３上、光ファイバー３３ａの本数は、図２に示した生化学解析用ユニット１０のスポット領域１４の数とは正確に対応しておらず、便宜上省略されている。
【００５３】
各光ファイバー３３ａの一端は前記受光面に、他端がスポット領域１４にそれぞれ対向するように配置される。生化学解析用ユニット１０と対向する端部には、各光ファイバー３３ａの配列位置を各スポット領域１４の配列に対応するように固定する位置固定部材４１が取り付けられる。データ読み取りは、そのライトガイド３３の一端を、フロースルーエリア１７の読み取り面と対面させて行われる。ＣＣＤイメージセンサ３４ａは、各スポット領域１４の発光状態を検出することにより、特異的結合反応の結果を示す画像データを取得する。データ解析工程では、この画像データを生化学解析用データとして解析する。
【００５４】
図４に示すように、カートリッジ２８は、リアクタ本体２２に装填される。リアクタ本体２２は、本体基部２２ａと、上蓋２２ｂとからなる。本体基部２２ａ及び上蓋２２ｂの内面は、カートリッジ２８の外形に合わせて象られており、また、それらの側端部には、供給路２８ａ及び排出路２８ｂに対応する位置に切り欠きが設けられている。この切り欠きを通して供給路２８ａ及び排出路２８ｂがリアクタ本体２２の側面から突出して、その先端部が外部に露呈される。上蓋２２ｂは、装填されたカートリッジ２８を覆うように本体基部２２ａの上方に被せられる。この状態で、上蓋２２ｂと本体基部２２ａとは図示しない圧着機構によって圧着される。  
【００５５】
図５は、カートリッジ２８の分解斜視図であり、図６は、カートリッジ２８と、それが装填された状態のリアクタ本体２２の断面図である。なお、これらの図において、生化学解析用ユニット１０のスポット領域１４は、図２に示したスポット領域１４の大きさや数とは正確に対応しておらず、便宜上、省略されている。この省略に伴って、ライトガイドを構成する光ファイバーの本数等も省略して示している。
【００５６】
図５及び図６に示すように、カートリッジ２８は、生化学解析用ユニット１０を上下から挟み込んで保持する上半部５１及び下半部５２とからなる。下半部５２には、生化学解析用ユニット１０のフロースルーエリア１７と対面する部位に、供給路２８ａと接続されるハウジング５２ａが形成されており、フロースルーエリア１７の下方に、所定の隙間が確保されるようになっている。このハウジング５２ａの周囲には、フロースルーエリア１７の周辺部と当接する枠部５２ｂが形成されている。
【００５７】
上半部５１は、前記枠部５２ｂと対向する上方からフロースルーエリア１７の周辺部と当接して、該ユニット１０を保持できるように枠部材で構成しており、その中央部のフロースルーエリア１７と対面する部位が開口部６１となっている。このため、生化学解析用ユニット１０をカートリッジ２８に収容した場合でも、フロースルーエリア１７の全面が、前記開口部６１から外部に露呈される。この開口部６１は、後述するように、フロースルーエリア１７の状態を検出する検出窓として使用される。このように、検出窓を開口としたので、従来と比較して、上半部５１の構成を簡素化することができるので、カートリッジの製造コストが抑えられる。
【００５８】
図６（Ａ）に示すように、反応時には、カートリッジ２８の上に上蓋２２ｂが被せられて、開口部６１は覆われる。上蓋２２ｂの内面は、前記開口部６１に対応する部位が下方に突きだしており、その突き出し部分の周囲には、パッキン６２が取り付けられる。このパッキン６２は、上蓋２２ｂと開口部６１の周壁との隙間を密閉する。開口部６１の平面形状は、フロースルーエリア１７の形状に対応して略矩形状をしているが、開口部６１の四隅は、パッキン６２による密閉性を高めるために、角が取られてまるめられている（Ｒが付けられている）。これにより、フロースルーエリア１７の上方に、反応溶液が流動する空間が確保される。この空間の高さ、すなわち、上蓋２２ｂの内面と、フロースルーエリア１７の上面との間隔は、開口部６１が形成される上半部５１の厚みによって決まる。この厚みは、約１００〜２００μｍ程度に設定される。この空間とフロースルーエリア１７の下方のハウジング５２ａとによってチャンバー２９が構成される。
【００５９】
また、上半部５１及び下半部５２には、生化学解析用ユニット１０の周辺部と接触する面に、フロースルーエリア１７の周囲を取り囲むように溝５７が形成されており、この溝５７にはパッキン５６が取り付けられる。このパッキン５６によって、上半部５１及び下半部５２と、生化学解析用ユニット１０との隙間が密閉される。
【００６０】
また、下半部５２には、ハウジング５２ａの脇に位置決めピンが設けられており、このピンを位置決め穴１９に挿通させることによって生化学解析用ユニット１０の位置決めが行われる。生化学解析用ユニット１０を位置決めした状態で、その上から上半部５２を被せると、生化学解析用ユニット１０が、上半部５１及び下半部５２に挟まれて保持されるとともに、フロースルーエリア１７がチャンバー２９内に収容される。チャンバー２９は、パッキン５６及びパッキン６２によって密閉される。こうして生化学解析用ユニット１０を収容した上半部５１及び下半部５２は、断面が略コの字形の２つの留め金５８によって両側から挟み込まれて固定される。
【００６１】
図６（Ｂ）に示すように、検出時には、上蓋２２ｂが取り外されて、開口部６１が外部に露呈される。この開口部６１からライトガイド３３が挿入されて、各光ファイバー３３ａの端面が、各スポット領域１４に対応するように載置される。検出窓を開口部６１としているから、各光ファイバー３３ａの端面と、各スポット領域１４とを隙間なく対面させることができる。このため、光が拡散することなく、各スポット領域１４から発光した光が、それぞれに対応する各光ファイバー３３ａに入力されるので、各スポット領域１４毎の光量を正確に検出することができ、精度の高いデータが得られる。
【００６２】
また、ハウジング５２ａの底面には、フロースルーエリア１７と対面する位置に、複数のボス６６が形成されている。これらのボス６６は、生化学解析用ユニット１０がライトガイド３３からの押圧を受けたときに、該ユニット１０を支えてその撓みを防止する支柱である。この支柱により撓みが防止されるので、前記押圧により、スポット領域１４と各光ファイバー３３ａとの位置関係がずれることがない。図７に示すように、各ボス６６は、各スポット領域１４への反応溶液の流路を塞ぐことがないように、各スポット領域１４の間に位置するように配置されている。本例では、ボス６６を角筒状に形成しているが、もちろん円筒状に形成してもよい。
【００６３】
以下、上記構成による作用を説明する。スポッティング工程において、生化学解析用ユニット１０の各スポット領域１４には、異なる種類のプローブが点着して固定化される。この生化学解析用ユニット１０は、カートリッジ２８に収納され、その形態で反応工程に送られる。
【００６４】
反応工程では、まず、カートリッジ２８をリアクタ本体２２に装填する。カートリッジ２８を装填した後、切り換え弁２５を循環位置から供給排出位置に移動する。そして、バルブＶ１を開いて、ポンプ２４を駆動することによってタンクＴ１からターゲット溶液をチャンバー２９へ供給する。チャンバー２９及び循環経路内をターゲット溶液で満たしエアーを抜いた状態で、切り換え弁２５を循環位置に移動する。この状態で、ポンプ２４を駆動すると、ターゲット溶液が加圧された状態で循環経路内を循環する。チャンバー２９内では、フロースルーエリア１７の下面から上面に向けてターゲット溶液が流動する。ターゲットと相補的な関係を有するプローブが固定化されたスポット領域１４においては、特異的結合反応が生じる。他方、ターゲットと相補的な関係に無いプローブが固定化されたスポット領域１４においては、特異的結合反応が生じない。
【００６５】
ターゲット反応処理が終了した後、切り換え弁２５を供給排出位置に切り換えて、バルブＶ２を開いてタンクＴ２から洗浄液を循環経路に供給する。洗浄液が循環経路内に注入されると、循環経路内にすでに存在していたターゲット溶液が排出路２８ｂを通って排出槽２７へ順次押し出されて排出される。これにより、循環経路内の液体がターゲット反応溶液から洗浄液に入れ替えられる。循環経路内が洗浄液で満たされたら切り換え弁２５を循環位置に切り換える。ポンプ２４を駆動すると洗浄液が循環経路内を循環して生化学解析用ユニット１０の洗浄が行われる。
【００６６】
洗浄が終了した後、切り換え弁２５を供給排出位置に切り換えるとともに、バルブＶ３を開いて、タンクＴ３から酵素抗体溶液を循環経路に供給して、洗浄液と酵素抗体溶液との入れ替えを行う。循環経路が酵素抗体溶液で満たされたら、切り換え弁２５を循環位置に戻して、ポンプ２４を駆動することにより酵素抗体溶液を循環させて抗原抗体反応処理を実行する。ターゲットと抗原とが特異的結合をしたスポット領域においては、抗原抗体反応が生じて、抗原と酵素抗体とが結合する。
【００６７】
抗原抗体反応処理の後、上記と同様の手順で、酵素抗体反応溶液とタンクＴ４から新たに供給される洗浄液とを入れ替えて、生化学解析用ユニット１０の洗浄を行う。この洗浄により、抗原抗体反応が生じたスポット領域以外のスポット領域から酵素抗体が取り除かれる。
【００６８】
この洗浄の後、上記と同様の手順で、タンクＴ５から化学発光基質溶液を循環経路に供給して、洗浄液と化学発光基質溶液とを入れ替える。循環経路が化学発光基質溶液で満たされたら切り換え弁２５を循環位置に戻して、化学発光反応処理を実行する。抗原抗体反応が生じたスポット領域には、酵素抗体が残留しているから、酵素の作用によって化学発光基質が分解されて発光する。
【００６９】
こうして反応工程が終了した後、データ読み取り工程が開始される。データ読み取り工程では、まず、上蓋２２ｂが取り外されて、図６（Ｂ）に示すように、開口部６１が外部に露呈される。
【００７０】
開口部６１から、ライトガイド３３が挿入されて、その端面がフロースルーエリア１７に載置される。この状態で、データ読み取りが行われる。上述したとおりターゲットとプローブとの特異的結合反応が生じたスポット領域１４は化学発光反応が生じて発光し、他方、特異的結合反応が生じないスポット領域１４は発光しない。この光の有無を検出装置３１によって検出することで、生化学解析用データが読み取られる。この読み取りの際には、ライトガイド３３とフロースルーエリア１７とは接触しているので、光の拡散に起因するノイズが発生することはなく、精度の高いデータが得られる。
【００７１】
上記実施形態では、データ読み取りの際に、ライトガイドとフロースルーエリアとを直接接触させているが、両者の間に、薄い透明なシートを挟んでもよい。こうすれば、フロースルーエリア上の反応溶液の残滓がライトガイドに付着することを防止できる。しかし、シートの厚みが厚すぎると、光の拡散が生じて、精度の高いデータが得られなくなる。したがって、シートの厚みは、なるべく薄いものがよい。具体的な値としては、６０μｍ以下であることが好ましく、１５μｍ以下であることがさらに好ましい。
【００７２】
上記実施形態では、生化学解析用ユニットとして、スポット領域に浸透した反応溶液が該ユニットの一方の面から他方の面に通過可能なフロースルータイプのユニットを使用し、スポット領域内を反応溶液を通過させて反応処理を行うフロースルー方式の例で説明している。しかし、本発明の生化学解析用カートリッジは、フロースルー方式に限らず、振盪方式によって反応処理を実行する場合にも適用することができる。振盪方式とは、反応容器に生化学解析用ユニットを収容するとともに反応溶液を注入し、この反応容器をシーソーのように揺らして振盪させることにより、反応溶液をスポット領域に浸透させる方式である。
【００７３】
図８に示すカートリッジ８０は、その反応容器として使用されるものである。生化学解析用ユニット８３は、上半部８１及び下半部８２とによって挟持されてカートリッジ８０に固定される。上半部８１は、枠部材で形成されており、その中央部が開口部８１ａとなっている。生化学解析用ユニット８３の各スポット領域が配列される配列面８３ａは、この開口部８１ａから外部に露呈される。この開口部８１ａは、上半部８１の厚みに応じた高さがあるため、これを周壁として、底面を担当する前記配列面８３ａとともに、反応溶液８５を溜める槽を構成する。この槽への反応溶液８５の供給及び排出を行うため、上半部８１には、供給する供給路８１ｂ及び排出路８１ｃが形成されている。また、下半部８２には、生化学解析用ユニット８３との間に隙間を形成するハウジングは形成されておらず、該ユニット８３の下面はその全域が下半部８２の上面と接する。
【００７４】
図８（Ｂ）に示すように、反応工程では、まず、供給路８１ｂから反応溶液８５を開口部８１ａへ供給する。この状態で、カートリッジ８０を、例えば、振盪機を用いて振盪させる。こうして、反応溶液８５をスポット領域へ浸透させて、特異的結合反応を生じさせる。この反応工程の後、排出路８１ｃから反応溶液８５を排出して、開口部８１ａから配列面８３ａのデータ読み取りを行う。
【図面の簡単な説明】
【００７５】
【図１】生化学解析用ユニットを使用した生化学解析方法の全体工程を示すフローチャートである。
【図２】生化学解析用ユニットの平面図である。
【図３】検出装置３１の構成図である。
【図４】リアクタ本体の分解斜視図である。
【図５】カートリッジの分解斜視図である。
【図６】カートリッジ及びリアクタ本体の断面図である。
【図７】フロースルーエリア，ボスの拡大図である。
【図８】振盪方式で反応させる場合のカートリッジの例を示す説明図である。
【符号の説明】
【００７６】
１０  生化学解析用ユニット
１４  スポット領域
１７  フロースルーエリア
２１  リアクタ
２２  リアクタ本体
２８  カートリッジ
２９  チャンバー
３１  検出装置
３３  ライトガイド
３３ａ  光ファイバー
５１  上半部
６１  開口
【図１】
2005172706.tif 000003
【図２】
2005172706.tif 000004
【図３】
2005172706.tif 000005
【図４】
2005172706.tif 000006
【図５】
2005172706.tif 000007
【図６】
2005172706.tif 000008
【図７】
2005172706.tif 000009
【図８】
2005172706.tif 000010